(57)【要約】【課題】貯水ケースの食品収納区画に収納した食品が誤って貯氷区画に落下して検氷レバーの動作が妨げられ、製氷ができないという誤動作を防ぐことができる冷凍冷蔵庫を提供する。【解決手段】製氷室内に製氷機と貯氷ケース１を有し、貯氷ケース１を貯氷区画２と食品収納区画３とに区分する中仕切壁４を備え、中仕切壁４の上端部４ａを製氷機の製氷皿下面よりも高くし、かつ、製氷室の天井面と仕切壁４の上端部４ａとの間に１５〜２０ｍｍのクリアランスを設けた。また、食品収納区画３の内幅を６６〜１００ｍｍとした。【選択図】図１
2006308242.tif 000002
【特許請求の範囲】
【請求項１】
製氷室内に製氷機と貯氷ケースを有する冷凍冷蔵庫において、
前記貯氷ケースを貯氷区画と食品収納区画とに区分する仕切壁を備え、
前記仕切壁の上端部を前記製氷機の製氷皿下面よりも高くし、かつ、前記製氷室の天井面と前記仕切壁の上端部との間に１５〜２０ｍｍのクリアランスを設けたことを特徴とする冷凍冷蔵庫。
【請求項２】
製氷室内に製氷機と貯氷ケースを有する冷凍冷蔵庫において、
前記貯氷ケースを貯氷区画と食品収納区画とに区分する仕切壁と、
前記製氷室の天井面に設けられ前記仕切壁の上端部が挿入される溝と、
を備え、
前記仕切壁の上端部を前記製氷機の製氷皿下面よりも高くし、かつ、前記製氷室の天井面に設けられた前記溝の底面と前記仕切壁の上端部との間に１５ｍｍ以上のクリアランスを設けたことを特徴とする冷凍冷蔵庫。
【請求項３】
前記食品収納区画の内幅を６６〜１００ｍｍとしたことを特徴とする請求項１または２記載の冷凍冷蔵庫。
【請求項４】
前記貯氷区画と前記食品収納区画とを区分する前記仕切壁の断面形状を∩形状断面とし、かつ、前記仕切壁上端面に通気口を備えたことを特徴とする請求項１〜３のいずれかに記載の冷凍冷蔵庫。
【請求項５】
前記貯氷区画と前記食品収納区画の前面に、それぞれ通気口を備えたことを特徴とする請求項１〜４のいずれかに記載の冷凍冷蔵庫。
【請求項６】
前記貯氷区画内に氷採取用器具を収納する収納スペースを備えたことを特徴とする請求項１〜５のいずれかに記載の冷凍冷蔵庫。
【請求項７】
前記貯氷区画及び前記食品収納区画の背面壁の上端部を、前記製氷室の奥側に設けられた吹出口の下端部よりも下に配設したことを特徴とする請求項１〜６のいずれかに記載の冷凍冷蔵庫。
【発明の詳細な説明】
【技術分野】
【０００１】
この発明は、貯氷ケースの構造を改良した冷凍冷蔵庫に関するものである。
【背景技術】
【０００２】
従来の冷凍冷蔵庫は、製氷室に設けられた貯氷ケースが貯氷専用のものや、貯氷ケースが貯氷区画と食品収納区画に仕切壁で仕切られているものがあった。
また、製氷室内に、貯氷量を判断するための検氷レバーが設けられ、貯氷ケース内に下がり、貯氷量が満氷と検知すると製氷を停止するものがあった。
また、貯氷ケースを貯氷区画と食品収納区画に区分する仕切壁が貯氷ケースとは別体の仕切を備え、仕切りを左右に移動可能な構成とし、貯氷スペースと食品収納スペースとの容積の割合を変更することができるものがあった（例えば、特許文献１参照）。
【０００３】
【特許文献１】特開２００１−３３６８７５号公報（段落００１９〜００２２、図１、３）
【発明の開示】
【発明が解決しようとする課題】
【０００４】
従来の冷凍冷蔵庫で、貯氷ケースが貯氷専用のものは、収納されるのが氷のみのため多様性に乏しいという問題あった。また、貯氷ケースが貯氷区画と食品収納区画に仕切られているものは、食品収納区画に食品を詰め込んだ時、仕切壁より高い位置にある食品が貯氷区画に落下し、検氷レバーと氷あるいはケース底面の間に挟まり、検氷レバーが正確な貯氷量を測定できず、満氷と誤検知し製氷できない恐れがあった。
また、貯氷ケースが貯氷区画と食品収納区画に仕切壁で仕切られているものは、仕切壁が薄い場合、仕切壁に反り及び破損等が発生し、貯氷ケースの外観を損ねる恐れがあった。
【０００５】
また、貯氷ケースを貯氷区画と食品収納区画に区分する仕切壁が移動可能なものは、２部品構成なので紛失の恐れがあった。
また、従来の製氷室の構成を設定した時に示すが、製氷室扉１４を引き出した時、貯氷ケース１を取り出せる構造にするため、かつ、製氷室扉１４を閉じる時、製氷皿の回転軌跡と干渉しないように製氷室天井部である第１の仕切壁背面フランジ左下面と貯氷ケース１の食品収納区画のフランジ５ａのクリアランスＤを６０ｍｍ以上空ける必要があった。そのため給水タンク１２後方部（設定した時斜線部）に無駄なスペースが発生するという問題があった。
【０００６】
この発明は、上記の課題を解決するためになされたもので、製氷機能や冷凍冷蔵庫本体の性能を損なわずに、貯水ケースの食品収納区画に収納した食品が誤って貯氷区画に落下して検氷レバーの動作が妨げられ、製氷ができないという誤動作を防ぐことができる冷凍冷蔵庫を提供することを目的とするものである。
【課題を解決するための手段】
【０００７】
この発明に係る冷凍冷蔵庫は、製氷室内に製氷機と貯氷ケースを有する冷凍冷蔵庫において、前記貯氷ケースを貯氷区画と食品収納区画とに区分する仕切壁を備え、前記仕切壁の上端部が前記製氷機の製氷皿下面よりも高くし、かつ、前記製氷室の天井面と前記仕切壁の上端部との間に１５〜２０ｍｍのクリアランスを設けたものである。
【発明の効果】
【０００８】
この発明は、前記貯氷ケースを貯氷区画と食品収納区画とに区分する仕切壁を備え、前記仕切壁の上端部を前記製氷機の製氷皿下面よりも高くし、かつ、前記製氷室の天井面と前記仕切壁の上端部との間に１５〜２０ｍｍのクリアランスを設けたので、食品収納区画に収納した食品が誤って貯氷区画に落下せず、検氷レバーと氷あるいはケース底面の間に挟まり、検氷レバーが正確な貯氷量を測定できず、製氷ができないという誤動作を防ぐことができる。
【発明を実施するための最良の形態】
【０００９】
実施の形態１．
図１はこの発明の実施の形態１を示す冷凍冷蔵庫の貯氷ケースの斜視図、図２は製氷室の側面透視図、図３は製氷室を前から見た断面図である。
図１において、貯氷ケース１は、側面板右５、側面板左６、前面板１５、背面板７、底板２５、貯氷ケース１を貯氷区画２と食品収納区画３とに左右方向に区分する貯氷ケース１の中仕切壁４から構成される。
また、側面板右５の上端部は側面板右フランジ５ａ、側面板左６の上端部は側面板フランジ左６ａ、背面板７の右側は背面フランジ右７ａ、背面板７の左側は背面フランジ左７ｂ、貯氷ケース１の中仕切壁４は上端部４ａが設けられている。図１では詳細形状を省略しているが、側面板フランジ右５ａ、側面板フランジ左６ａ、背面フランジ左７ｂの断面形状を図３に示している。また、前面板１５には、通風穴１６が設けられている。
【００１０】
図２において、製氷室は上側の第１の仕切壁背面フランジ左と下側の第２の仕切壁１７で区画され、奥面には製氷室吹出し口１０、前面には製氷室扉１４が設けられている。製氷室内の第１の仕切壁背面フランジ左寄りの左側の奥側に製氷機、前側に吸水タンク１２が設けられ、製氷機の下方に貯氷区画２が対応するように貯氷ケース１が設けられている。
貯氷ケース１は製氷室扉１４に取り付けられたレール１１の上に載置されている。
製氷機は自動製氷機であり、離氷のため回動される製氷皿８と、貯氷量を検知する検氷レバー９から構成される。
【００１１】
次に、この発明の実施の形態１を示す冷凍冷蔵庫の貯氷ケースの使用について図１〜５により説明する。図４は貯氷ケースの引き出し動作説明図、図５は食品収納区画３に収納される食品等の代表的な寸法を示す図であり、製氷室温度帯に設定して収納される食品の例としてアイス、冷蔵室温度帯に設定して収納される食品の例としてペットボトルを示しており、ステイック状アイスは最小のもの、ペットボトルは一般家庭で使用される５００ｍｌの寸法を示している。なお、ペットボトルを収納する場合は、製氷室の温度を冷蔵温度帯に切替え可能な冷凍冷蔵庫を使用するものとする。
【００１２】
貯氷ケース１を取り出す時は、図４に示すように製氷室扉１４を引き出すと貯氷ケース１が製氷室扉１４とともに引き出され、レール１１から貯氷ケース１を取外して取り出す。この時の貯氷ケース１の取り出し軌跡において、中仕切壁４の上端部４ａが第１の仕切壁背面フランジ左や冷蔵室扉に接触しないようにするには、中仕切壁４の上端部４ａと第１の仕切壁背面フランジ左の間のクリアランスが１５ｍｍ以上必要である。
【００１３】
一方、貯水ケース１の食品収納区画３に収納した食品が誤って貯氷区画２に落下しないようにするには、中仕切壁４の上端部４ａと第１の仕切壁背面フランジ左のクリアランスＡが図５に示す食品の最小寸法以下であればよい。最小寸法はステイック状アイスの厚さ２０ｍｍなので、中仕切壁４の上端部４ａと第１の仕切壁背面フランジ左のクリアランスＡが２０ｍｍ以下であればよい。従って、中仕切壁４の上端部４ａと第１の仕切壁背面フランジ左のクリアランスＡを１５〜２０ｍｍとした。
【００１４】
なお、食品収納区画３の側面板右５の側面板フランジ右５ａの高さは、中仕切壁４の上端部４ａの高さ以下であればよく、貯氷区画２の側面板左６の側面板フランジ左６ａは検氷レバー９の軌跡と製氷皿に接触しない高さに設定している。
【００１５】
また、製氷室を冷蔵温度帯に設定した時に、食品収納区画３に５００ｍｌペットボトルを倒して２段２列収納可能とするために図５のペットボトルの寸法が直径６６ｍｍ、全長２１０ｍｍを考慮して、食品収納区画内幅を６６ｍｍ以上とし、また、製氷温度帯に設定した時に、カップ状のアイスが最大８個（４列２段）収納可能とするために図５からアイスの最大直径１００ｍｍを考慮し、食品収納区画３内幅を最大１００ｍｍと設定し、食品収納区画３の内幅を６６〜１００ｍｍとした。
【００１６】
また、貯氷区画２は従来機種と同じ貯氷量（氷１００個）を収納可能に設定した。
また、食品収納区画３内の食品が貯氷ケース１の中仕切壁４を乗り上げて貯氷区画２内に入らないように、中仕切壁４の上端部４ａが製氷機の製氷皿８の下面よりも高くし、製氷皿８の下面から中仕切壁４の上端部４ａまでの高さＢを４０ｍｍとし、貯氷ケース１の中仕切壁４の高さは貯氷ケース１の底面から１５０ｍｍの高さに設定している。
【００１７】
以上のように、仕切壁の上端部４ａとの間に１５〜２０ｍｍのクリアランスを設けたので、貯氷ケース１をスムーズに引出すことができ、食品収納区画３内の食品が貯氷区画２内に落下して検氷レバー９と氷、あるいは貯氷ケース１の底面の間に挟まり、検氷レバー９が正確な貯氷量を測定できず、製氷できないという誤作動を防ぐことができる。
さらに、貯氷ケース１内の食品が整理できることで製氷室内の冷気の循環が改善され、消費電力量を低減することができる。
また、仕切壁の上端部４ａが製氷機の製氷皿８の下面よりも高く設定したので、食品収納区画３内の食品が貯氷ケース１の中仕切壁４を乗り上げて貯氷区画２内に入り、検氷レバー９に接触し誤作動を起こすのを防ぐことができる。
【００１８】
また、食品収納区画３の内幅を６６〜１００ｍｍとしたので、製氷室の温度設定が製氷温度帯のときは、カップ状のアイスを最大８個（４列２段）収納することができ、冷蔵温度帯に設定した時に、食品収納区画３に５００ｍｌペットボトルを倒して２段２列収納することができる。
また、従来は、設定した時に示すように、貯氷ケース１の出し入れの時、製氷皿８の回転軌跡と干渉しないように第１の仕切壁背面フランジ左の下面と貯氷ケース１の食品収納区画３の側面板フランジ右５ａのクリアランスＤを６０ｍｍ以上とる必要があったが、このクリアランスは１５〜２０ｍｍと小さくなり、無駄なスペースがなく食品収納区画３を大きくすることができる。
【００１９】
また、貯氷区画２と食品収納区画３の前面に、それぞれ通気口１６を設けたので、製氷室を流れる冷気の循環経路を改善し、冷気をスムーズに流すことにより、貯氷ケース１内の温度分布を改善し、冷却時間の短縮等により消費電力量低減を図ることができる。
【００２０】
実施の形態２．
図６はこの発明の実施の形態２を示す冷凍冷蔵庫の製氷室を前から見た断面図である。
実施の形態１の図３と異なるところは、第１の仕切壁背面フランジ左の下面に、中仕切壁４の上端部４ａが挿入される溝背面フランジ左ａと、食品収納区画３の側面板右フランジ５ａが挿入される溝背面フランジ左ｂを設けたものであり他は同じで説明を省略する。
【００２１】
この構成において、貯氷ケース１を取り出す時、実施の形態１と同様に、中仕切壁４の上端部４ａが第１の仕切壁１３、背面フランジ左７ｂや冷蔵室扉に接触しないようにするため、中仕切壁４の上端部４ａと第１の仕切壁１３の溝１３ａの底面間のクリアランスは１５ｍｍ以上必要である。
また、食品収納区画３の側面板右フランジ５ａと第１の仕切壁１３の溝１３ｂの底面間のクリアランスが１５ｍｍ以上必要である。
なお、食品収納区画３の側面板右フランジ５ａは、中仕切壁４の上端部４ａの高さよりも低くてもよく、側面板右フランジ５ａと第１の仕切壁１３の下面とのクリアランスが１５ｍｍ以上あれば、溝１３ｂはなくともよい。
また、背面フランジ右７ａは図１に示すように中仕切壁４の上端部４ａの高さよりも十分低く、貯氷ケース１を取り出す時、第１の仕切壁１３に接触することはない。
【００２２】
また、溝１３ａに中仕切壁４の上端部４ａが挿入されているので、実施の形態１のように、食品収納区画３に収納した食品が誤って貯氷区画２に落下しないので、食品の寸法による制約がないので中仕切壁４の上端部４ａと第１の仕切壁１３の溝１３ａの底面間のクリアランスは１５ｍｍ以上であればよい。
【００２３】
以上のように、第１の仕切壁１３の下面に、中仕切壁４の上端部４ａが挿入される溝１３ａを備え、中仕切壁４の上端部４ａと第１の仕切壁１３の溝１３ａの底面間に１５ｍｍ以上のクリアランスを設けたので、貯氷ケース１をスムーズに引出すことができ、食品収納区画３内の食品が貯氷区画２内に落下して検氷レバー９と氷、あるいは貯氷ケース１の底面の間に挟まり、検氷レバー９が正確な貯氷量を測定できず、製氷できないという誤作動を防ぐことができる。
【００２４】
実施の形態３．
図７はこの発明の実施の形態３を示す冷凍冷蔵庫の製氷室を前から見た断面図、図８は貯氷ケースの中仕切壁の成形型と成形後の形状の説明図であり、図８（ａ）は成形型の説明図、（ｂ）は中仕切壁の成形後の部分拡大図である。
本実施の形態が実施の形態２の図６と異なるところは、中仕切壁４の形状であり他は同じなので説明を省略する。
【００２５】
図７において、貯氷区画２と食品収納区画３とを分割する中仕切壁４の断面形状は∩形状断面であり、図８（ｂ）に示すように中仕切壁４の上端面４ａに通気穴４ｂが設けられている。
【００２６】
中仕切壁４の成形型は、中仕切壁４の上端部４ａに通気穴４ｂが設けられているので、図８（ａ）に示すようにオス側の型２０とメス側の型１９が通気穴４ｂの中子２０ｂとして接続される形状となり、成型時の射出圧力に耐える強度を確保することが可能であり、成型工程中に貯氷ケース中仕切壁成型部位が倒れることがなく、安定して均一肉厚に成形でき、外観不良の発生を抑制することができる。
【００２７】
この構成において、貯氷ケース１の冷気の循環は、通気口１６等を介して貯氷区画２、食品収納区画３の中を流れるだけでなく、図８（ｂ）に示すように貯氷ケース１の中仕切壁４の上端部４ａの通気穴４ｂを通して冷気の流れ２２が貯氷ケース１の中仕切壁４の内部空間２１にも流入するため、ケース内の温度分布が改善され、運転時間を短縮でき、消費電力量の低減を図ることができる。
また、中仕切壁４の断面形状は∩形状断面なので、中仕切壁４の強度を増加し、反り等の貯氷ケース１の外観劣化を防止することができる。
また、中仕切壁４の上端部４ａの通気穴４ｂがあるため、成形時に使用するキャビティ型の該当部の倒れを防止することにより成型不良を防ぐことができる。
【００２８】
実施の形態４．
図９はこの発明の実施の形態４を示す冷凍冷蔵庫の製氷室の吹出口と貯氷ケースの関係と冷気の循環経路を示す斜視図、図１０は貯氷ケース１内の温度データ比較を示す図である。
図９において、実施の形態１の図１と異なるところは、前面板１５の貯氷区画２側の上方に氷採取用器具を収納する区画２３を設け、また、製氷室の吹出口１０と貯氷ケース１の関係を示している箇所であり他は同じなので説明を省略する。
【００２９】
食品収納区画３の背面壁７の上端部である背面フランジ右７ａを、製氷室の奥側に設けられた吹出口１０の下端部よりも２０ｍｍ（図のＣ）だけ下に配設している。
また、図示してないが貯氷区画２の背面フランジ左７ｂを、製氷室の奥側に設けられた吹出口１０（図示せず）の下端部よりも２０ｍｍだけ下に配設している。
【００３０】
この構成により、冷気は製氷室の吹出口１０から吹き出て貯氷区画２及び食品収納区画３内に進入し通気穴１６から吹き出され氷や食品を冷却する。
ここで、背面フランジ右７ａと背面フランジ左７ｂを、吹出口１０の下端部よりもＣだけ下にした場合と低くしないで高いままの場合について貯氷ケース１内の温度を比較した結果、図１０に示すように、背面フランジ右７ａと背面フランジ左７ｂを、吹出口１０の下端部よりも下にせず高いままのときは、貯氷区画２が−２０．０℃、食品収納区画３が−１４．９℃で、平均が−１６．５℃となり、背面フランジ右７ａと背面フランジ左７ｂを、吹出口１０の下端部よりも下にしたときは、貯氷区画２が−２０．３℃、食品収納区画３が−１５．９℃で、平均が−１７．１℃となり、背面フランジ右７ａと背面フランジ左７ｂを、吹出口１０の下端部よりも下にした場合は−０．７℃低くなった。
【００３１】
以上のように、製氷室において、貯氷区画２及び食品収納区画３の奥側にそれぞれ吹出口１０を設けたので、貯氷ケース１内に流入する冷気の風量を増加させ、また低温度の冷気がケース内に流入するので、ケース内が迅速に冷却でき、運転時間が短縮し、消費電力量の改善を図ることができる。
また、背面フランジ右７ａと背面フランジ左７ｂを、製氷室の奥側に設けられた吹出口１０の下端部よりも下に配設したので、冷気が貯氷区画２及び食品収納区画３内に進入しやすくなり、製氷室内の冷却スピードが改善され、消費電力の量改善に繋がるようにすることができる。
【００３２】
また、貯氷区画２、食品収納区画３の前面に通気口１６を設けたので、貯氷ケース１内に冷気が溜まらず、通気口１６から冷気が吐き出され、貯氷ケース１内の冷気の循環経路が改善され、運転時間の短縮により消費電力量の低減を図ることができる。
また、貯氷区画２内に氷採取用器具を収納する区画２３を設けたので、氷採取用器具の整理性を改善し、かつ氷採取用器具の紛失の危険性を低減し、貯氷ケース内の氷の取出しをし易くすることができる。
なお、背面フランジ右７ａと背面フランジ左７ｂを吹き出し口１０より低い設定に不可能な場合でも、背面壁に冷気の進入経路を設けることで同等の効果が得られるようにすることができる。
【図面の簡単な説明】
【００３３】
【図１】この発明の実施の形態１を示す冷凍冷蔵庫の貯氷ケースの斜視図である。
【図２】この発明の実施の形態１を示す冷凍冷蔵庫の製氷室の側面透視図である。
【図３】この発明の実施の形態１を示す冷凍冷蔵庫を前から見た断面図である。
【図４】この発明の実施の形態１を示す冷凍冷蔵庫の貯氷ケースの引き出し動作説明図である。
【図５】この発明の実施の形態１を示す冷凍冷蔵庫の貯氷ケースの食品収納区画に収納される食品等の代表的な寸法を示す図である。
【図６】この発明の実施の形態２を示す冷凍冷蔵庫の製氷室を前から見た断面図である。
【図７】この発明の実施の形態３を示す冷凍冷蔵庫の製氷室を前から見た断面図である。
【図８】この発明の実施の形態３を示す冷凍冷蔵庫の貯氷ケースの中仕切壁の成形型と成形後の形状の説明図である。
【図９】この発明の実施の形態４を示す冷凍冷蔵庫の製氷室の吹出口と貯氷ケースの関係と冷気の循環経路を示す斜視図である。
【図１０】この発明の実施の形態４を示す冷凍冷蔵庫の貯氷ケース内の温度データ比較を示す図である。
【図１１】従来の冷凍冷蔵庫の製氷室の側面透視図である。
【符号の説明】
【００３４】
１  貯氷ケース、 ２  貯氷区画、３  食品収納区画、４ 中仕切壁、４ａ  上端部、４ｂ  通気穴、５  側面板右、５ａ 側面板フランジ右、６  側面板左、６ａ  側面板フランジ左、７  背面板、７ａ  背面フランジ右、７ｂ  背面フランジ左、８  製氷皿、９ 検氷レバー、１０  吹出口、１３  第１の仕切壁、１３ａ 、１３ｂ  溝、１６  通気口。
【図１】
2006308242.tif 000003
【図２】
2006308242.tif 000004
【図３】
2006308242.tif 000005
【図４】
2006308242.tif 000006
【図５】
2006308242.tif 000007
【図６】
2006308242.tif 000008
【図７】
2006308242.tif 000009
【図８】
2006308242.tif 000010
【図９】
2006308242.tif 000011
【図１０】
2006308242.tif 000012
【図１１】
2006308242.tif 000013